(57)【特許請求の範囲】
【請求項１】
背面側に吸込み口及び正面側に吹出し口を有する本体箱体と、この本体箱体内に正逆回転可能に支持されたモータと、このモータの回転軸に取り付けられた軸流ファンと、前記モータの回転方向を切り替えるためのスイッチ手段及びタイムスイッチと、前記吸込み口に設けられたフィルタもしくは保護ガードと、前記軸流ファンの中心部に対応する前記フィルタもしくは保護ガードの中央部に配置された円板とを備え、この円板が前記フィルタもしくは保護ガードの面より隙間を設けて取り付けられていることを特徴とする送風装置。
【請求項２】
前記円板は、外周端部に丸みを有することを特徴とする請求項１記載の送風装置。
【請求項３】
前記円板は、外形が流線形状に形成されていることを特徴とする請求項１または２記載の送風装置。
【請求項４】
前記円板は、前記フィルタもしくは保護ガードと一体構造に構成されていることを特徴とする請求項１ないし３のいずれかに記載の送風装置。
【請求項５】
前記円板と前記保護ガードとは一体構造のフィルタ取付枠を構成し、このフィルタ取付枠にフィルタを挿入して保持することを特徴とする請求項１ないし３のいずれかに記載の送風装置。
【発明の詳細な説明】
【技術分野】
【０００１】
本発明は、吸込み口にフィルタや保護ガードを有する送風機において、フィルタや保護ガードなどに塵埃を容易に付着させない送風装置に関する。
【背景技術】
【０００２】
例えば室内の送風を行う送風機の場合、室内空気中に浮遊している塵埃が送風機の吸込み口に取付けられているフィルタもしくは保護ガードを通過する際に付着し、フィルタもしくは保護ガードの上に溜まっていく。特に室内の塵埃濃度が高い場合は、フィルタもしくは保護ガードが短時間で目詰まりを起こしてしまうケースも少なくない。目詰まりしたまま送風装置を使用したのでは、所定の送風能力を十分に発揮することができなくなるといった問題や溜まった埃が落下するなどの問題がある。また、送風機の吸込み口が塵埃により目詰まりした場合、所定の送風能力を発揮させるためにメンテナンスが必要となるが、送風装置が高所に設置されている場合、フィルタもしくは保護ガードの目詰まり除去作業時、足場を組む必要があるため、非常に重労働になり、また危険を伴う作業となる。そのため、多額のメンテナンス費用が必要となってしまう。
【０００３】
この問題を解決するために従来の送風機で吸込み口の清掃を行う送風装置としては、特許文献１に記載されている。これは、建物の外壁に固定されて使用されるもので、前記建物の屋外側及び屋内側に夫々開口部を有するケーシングと、前記ケーシングの屋内側の端部に取付けられた吸気・排気兼用の換気扇と、前記換気扇の屋外側前方に設けた吸気・排気兼用の環境フィルタと、前記環境フィルタの両面側をシャッターで囲って区画・形成された再生空間と、前記再生空間内の前記環境フィルタの両面を再生する再生手段と、前記再生手段を制御する制御装置とを備えたものである。
【０００４】
その他に従来の送風機で吸込み口の清掃を行う送風装置としては、特許文献２に記載されている。これは、外気を屋内に導く通風路と、前記通風路に導かれた外気に含まれる塵埃を集塵する集塵フィルタと、集塵された塵埃を除去する集塵フィルタ清掃手段と送風機を備え、前記送風機は通常は屋内側への給気を行い、集塵フィルタ清掃終了後の塵埃を塵埃排出する間は屋外側への排気を行うことを特徴とするものである。
【０００５】
また、その他に従来の送風機で吸込み口の清掃を行う送風装置としては、特許文献３に記載されている。これは、背面側に吸込み口及び正面側に吹出し口を有する本体箱体と、この本体箱体の内部に設けられた正転及び逆転が可能なモータと、このモータの回転軸に取り付けられた軸流ファンと、前記吸込み口に取り付けられたフィルタもしくは保護ガードに軸流ファンの中心部正面に円板を取り付け、さらに前記モータの制御回路に該モータの回転方向を反対方向に切り替えるスイッチ手段と、このスイッチ手段の動作時間を設定するタイムスイッチとを設け、ある一定時間間隔で逆転運転を行い、前記フィルタもしくは保護ガードに付着した塵埃を吹き飛ばして清掃を行うことを特徴とするものである。
【０００６】
【特許文献１】特開２００４−３０１４２３号公報（請求項１、図１）
【特許文献２】特開２００５−２４１０９３号公報（請求項１、図１）
【特許文献３】特開２００５−２９９４９３号公報（請求項１、図１）
【発明の開示】
【発明が解決しようとする課題】
【０００７】
しかし、従来の技術には以下に示すような課題がある。
特許文献１に示すような環境フィルタの両面側を洗浄用設備などを設けて再生する再生手段と、前記再生手段を制御する制御装置を備えた自動再生型換気装置では、環境フィルタの汚れ状況に応じた洗浄を行い、環境フィルタの目詰まりが解消されることにより、メンテナンス作業の軽減ができるが、換気装置とは別にフィルタを洗浄するための散水用、排水用配管口、洗浄用給水設備を設けなくてはならなくなり、コストがかかるといった課題がある。
【０００８】
また、特許文献２に示すような集塵フィルタと集塵された塵埃を除去するブラシとブラシ回転装置とブラシ回転装置移動手段により構成される集塵フィルタ清掃手段を備え、通常は屋内側への給気を行い、集塵フィルタの清掃時の間は、塵埃を排出するために屋外へ排気を行うこととする換気送風装置でも、換気設備とは別に集塵フィルタ清掃手段を設けなくてはならなくなり、コストがかかるといった課題がある。さらに、可動する機構のため集塵フィルタ清掃手段自体のメンテナンスが必要になるといった課題がある。
【０００９】
また、特許文献３に示すような送風機の吸込み側に取り付けられているフィルタもしくは保護ガードの軸流ファンの中心部正面に円板を取り付け、軸流ファンを逆回転させることにより吸込み口の清掃を行う送風装置では、フィルタもしくは保護ガードに対する洗浄機構や可動する清掃手段を設ける必要はないが、保護ガードと円板の接する部分や、円板の端面など、埃が引っかかったり絡んだりする部分は、やがて埃が成長し、結果送風機の埃除去のためのメンテナンスが必要となるといった課題がある。一方、埃除去のために円板を大きくしていくと、送風機の送風能力が低下してしまうといった課題がある。
【００１０】
本発明は、上述のような課題を解決するためになされたもので、吸込み口にフィルタや保護ガードを有する送風機において、フィルタや保護ガードなどに塵埃を容易に付着させないようにした送風装置を得ることを目的とする。
【課題を解決するための手段】
【００１１】
前記課題を解決するため、本発明に係る送風装置は、背面側に吸込み口及び正面側に吹出し口を有する本体箱体と、この本体箱体内に正逆回転可能に支持されたモータと、このモータの回転軸に取り付けられた軸流ファンと、前記モータの回転方向を切り替えるためのスイッチ手段及びタイムスイッチと、前記吸込み口に設けられたフィルタもしくは保護ガードと、前記軸流ファンの中心部に対応する前記フィルタもしくは保護ガードの中央部に配置された円板とを備え、この円板が前記フィルタもしくは保護ガードの面より隙間を設けて取り付けられていることを特徴とするものである。
【発明の効果】
【００１２】
本発明によれば、吸込み口に取付けられている、フィルタもしくは保護ガードに付着した塵埃を、それが固着する前に一定時間間隔で軸流ファンを逆転させ、吹き飛ばすことによって清掃を行い、吸込み口の目詰まりの要因を除去することができる。
そのうえに、円板がフィルタもしくは保護ガードの面より隙間を設けて、つまり浮かせた状態で取り付けられているので、モータ逆転時の送風によって、円板の端部など、埃が引っかかったり絡んだりする部分の埃を容易に除去することができる。
また、送風装置が高所に設置されている場合であっても容易かつ自動的にフィルタもしくは保護ガードの清掃を行うことができる。
さらに、フィルタや保護ガードを目詰まりさせることなく、良好に送風させることができるため、定期的なメンテナンス回数を減らすことができ、メンテナンス費用を削減できるといった効果がある。
【発明を実施するための最良の形態】
【００１３】
以下、図面を参照して、本発明の実施の形態を説明する。
【００１４】
実施の形態１．
図１は本発明の実施の形態１における送風装置の内部構造を示す断面図である。また、図２はこの送風装置が例えば３台の送風機を備える場合の保護ガード部分を吸い込み口側からみた正面図、図３はこの保護ガードの上面図である。図４は送風装置の回路図である。
【００１５】
この送風装置は、室内の送風や設備の冷却用として天吊又は床置き又は壁取付けの状態にて設置される。送風装置は、六面箱体状の本体箱体１１を備え、本体箱体１１には背面側に吸込み口１２を、前面側に吹出し口１３が設けられている。また、本体箱体１１の内部は送風機の台数に応じて仕切られており、送風機１台につき、オリフィス１６の内部に設けられた軸流ファン１４と、回転軸に取り付けられた軸流ファン１４を正転及び逆転させるモータ１５とが取り付けられ、さらに前面側の吹出し口１３を形成するための共通のエアーガイド１７が取り付けられている。そして、上記吸込み口１２には、本体箱体１１内部へ塵埃もしくは異物が入らないようにフィルタもしくは保護ガード１８が設けられている。なお、保護ガード１８に代えてフィルタを設ける場合も同様の構成である。また、図５から図７は送風機が１台のものを示し、図８から図１０は送風機が３台のものを例示している。
【００１６】
そして、図１から図３に示すように、円板１９が軸流ファン１４の中心部に対応するフィルタもしくは保護ガード１８の中央部に取付足２０により取り付けられている。すなわち、円板１９はフィルタもしくは保護ガード１８の面より取付足２０によって隙間を設けて（浮かせて）取り付けられている。
【００１７】
また、この送風装置のモータ１５の回転方向を切り替えるために、図４に示すように、例えばリレースイッチ２１からなるスイッチ手段と、このスイッチ手段の動作時間間隔を設定するタイムスイッチ２２とがモータ駆動回路に設けられている。タイムスイッチ２２は送風装置の運転（回転方向）を定期的に切り替えるために設けられている。例えば図４において、３相交流モータ１５はリレースイッチ２１の接点２１ａ、２１ｂが実線で示す位置１、２に切り替わっているので正転方向に回転している。したがって、送風装置は背面の吸込み口１２から空気を吸い込み、正面の吹出し口１３から空気を吹き出す通常の送風運転が行われている。そして、タイムスイッチ２２によって設定された時刻になると、タイムスイッチ２２内の接点２２ａが閉じてオンとなることによってリレースイッチ２１のコイル２１ｃに通電されるので、接点２１ａ、２１ｂは破線で示す位置３、４に切り替わる。これによって、Ｖ相とＷ相が入れ替わるため、モータ１５は正転状態から逆転状態に切り替わり、送風が逆に吸込み口１２から出る方向へ行われ、吸込み口１２に取り付けられたフィルタもしくは保護ガード１８に溜まった塵埃をそれが固着する前に除去することができる。この場合、風の流れない軸流ファン１４のハブ部分に吹き飛ばされない埃が残るので、その部分に埃の付着を防ぐために円板１９を設けることが有効である。
【００１８】
そのうえに、本実施の形態では、軸流ファン１４の中心部に対応するフィルタもしくは保護ガード１８の中央部には円板１９がフィルタもしくは保護ガード１８の面に接することなくその面より隙間を設けて浮かせた状態で取り付けられているので、モータ１５の逆転時に、吸込み口１２から吹き出される風の一部が円板１９に当たって周囲のフィルタもしくは保護ガード１８の面に沿って流れるため、円板１９の端部付近の塵埃を容易に除去することができるとともに、フィルタもしくは保護ガード１８の外面に付着している塵埃を吹き飛ばすことができる。したがって、円板１９の径を最小限にすることが可能になり、送風機の送風能力が低下することなくフィルタもしくは保護ガード１８に付着する塵埃の除去が可能となり、かつ塵埃を容易に付着させないようにすることができる。そのため、フィルタもしくは保護ガード１８の清掃メンテナンスを軽減させることが可能となる。
【００１９】
実施の形態２．
図１１は本発明の実施の形態２における送風装置の内部構造を示す断面図である。
本実施の形態では、上記実施の形態１において、円板１９Ａの外周端部に丸み１９ａを有する構造とするものである。その他の構成は実施の形態１と同じであるので、同一符号を付して説明は省略する。
円板１９Ａは、例えば金属の板金加工や樹脂の成形加工などによりつくることができる。その際、円板１９Ａの外周端部をカーリングすることなどにより角をとり丸み１９ａを持たせる構造とする。これにより、埃などが円板１９Ａの外周端部に引っかかるようなことがより少なくなる。
【００２０】
したがって、本実施の形態では、実施の形態１で示した効果に加えて、埃などが円板１９Ａの外周端部に引っかかるようなことを少なくできる効果がある。
【００２１】
実施の形態３．
図１２は本発明の実施の形態３における送風装置の内部構造を示す断面図である。
本実施の形態では、上記実施の形態１において、円板１９Ｂの形状を正転逆転いずれの流れにおいても流線型の形状に形成したものである。その他の構成は実施の形態１と同じであるので、同一符号を付して説明は省略する。
【００２２】
本実施の形態でも、実施の形態２と同様に、埃などが円板１９Ｂの外周端部に引っかかるようなことを少なくできる効果がある。
【００２３】
実施の形態４．
上記実施の形態１においてはフィルタもしくは保護ガード１８と円板１９は別部品により構成可能であるが、本実施の形態では、図２、図３に示すように保護ガード１８の一部を折り曲げて取付足２０を形成し、その取付足２０の部分に円板１９を溶接して、円板１９と保護ガード１８を一体で構成するものである。もしくは図１３の換気扇の保護グリルにおける実施例のようにプラスチックなどで保護ガード１８と円板１９を一体成形して構成してもよい。また、フィルタの場合でもフィルタと円板１９とを一体成形でつくることができる。
【００２４】
本実施の形態によれば、送風機を組立てやすくなり、より安価に塵埃の付着を防止する手段を得ることが可能となる。
【００２５】
実施の形態５．
図１５は本発明の実施の形態５における３台の送風機をもつ送風装置の背面図で、特にフィルタを取り替え可能に構成したものである。図１６は１台の送風機をもつ送風装置の上面図である。
本実施の形態では、上記実施の形態１、２、３において、図１５、図１６に示すように、円板１９を設けたフィルタ取付枠２５を送風装置の吸込み口１２に取り付け、このフィルタ取付枠２５に対してフィルタ２６を抜き差し自在に構成するものである。
このように、フィルタ２６と、円板１９付きのフィルタ取付枠２５とを別部品により構成し、フィルタ２６のみを取り替え可能な構造としている。
【００２６】
本実施の形態によれば、送風機の送風能力を低下することなくフィルタ２６に付着する塵埃量が抑制され、フィルタ交換回数を軽減させることが可能となり、さらにフィルタ交換時において交換作業が容易に行えるようになる。
【図面の簡単な説明】
【００２７】
【図１】実施の形態１における送風装置の内部構造を示す断面図である。
【図２】実施の形態１における保護ガードの正面図である。
【図３】図２の上面図である。
【図４】実施の形態１における送風装置の回路図である。
【図５】１台の送風機をもつ送風装置の正面図である。
【図６】図５の上面図である。
【図７】図５の背面図である。
【図８】３台の送風機をもつ送風装置の正面図である。
【図９】図８の上面図である。
【図１０】図８の背面図である。
【図１１】実施の形態２における送風装置の内部構造を示す断面図である。
【図１２】実施の形態３における送風装置の内部構造を示す断面図である。
【図１３】実施の形態４における換気扇の場合の正面図である。
【図１４】図１３の上面図である。
【図１５】実施の形態５における送風装置の背面図である。
【図１６】実施の形態５における送風装置の上面図である。
【符号の説明】
【００２８】
１１  本体箱体、１２  吸込み口、１３  吹出し口、１４  軸流ファン、１５  モータ、１６  オリフィス、１７  エアーガイド、１８  フィルタもしくは保護ガード、１９、１９Ａ、１９Ｂ  円板、２０  取付足、２１  リレースイッチ、２１ａ、２１ｂ  接点、２１ｃ  コイル、２２  タイムスイッチ、２２ａ  接点、２５  フィルタ取付枠、２６  フィルタ。
【図１】
0004679387.tif 000002
【図２】
0004679387.tif 000003
【図３】
0004679387.tif 000004
【図４】
0004679387.tif 000005
【図５】
0004679387.tif 000006
【図６】
0004679387.tif 000007
【図７】
0004679387.tif 000008
【図８】
0004679387.tif 000009
【図９】
0004679387.tif 000010
【図１０】
0004679387.tif 000011
【図１１】
0004679387.tif 000012
【図１２】
0004679387.tif 000013
【図１３】
0004679387.tif 000014
【図１４】
0004679387.tif 000015
【図１５】
0004679387.tif 000016
【図１６】
0004679387.tif 000017